(57)【要約】【課題】有効表示用として使用される第一の発光部とは別に、演出表示用として使用可能な第二の発光部を備え、意外性のある演出表示や多様な演出表示を可能にするとともに、演出表示が遊技者の手で隠れることを防止し、演出表示の視認性を向上させる。【解決手段】停止ボタン４２ａ，４２ｂ，４２ｃの外周を照射する第一発光部１８０を有する停止ボタン装置１００であって、第一発光部１８０からの光と干渉しない光路を形成する第二発光部１９０と、停止ボタン４２ａ，４２ｂ，４２ｃの近傍かつ右上方に第二発光部１９０で照射される照射領域Ｓと、を各停止ボタン４２ａ，４２ｂ，４２ｃに対応して設け、各照射領域Ｓは、第二発光部１９０の消灯時に視認不能かつ点灯時に視認可能となる所定の絵柄Ｅを有する。【選択図】図７
2011206304.tif 000002
【特許請求の範囲】
【請求項１】
押下操作により所定の可変表示器の変動を停止させる、非透光性部材で形成された複数の停止ボタンと、前記各停止ボタンに対応して設けられ、前記各停止ボタンの外周を照射する第一の発光部と、を有する停止ボタン装置であって、
前記停止ボタンを囲む前記第一の発光部で照射される環状透光部と、
前記第一の発光部からの光と干渉しない光路を形成する第二の発光部と、
前記停止ボタンの近傍かつ上方に前記第二の発光部で照射される照射領域と、をそれぞれ各停止ボタンに対応して設け、
前記各照射領域は、前記第二の発光部の消灯時に視認不能かつ点灯時に視認可能となる所定の絵柄を有することを特徴とする停止ボタン装置。
【請求項２】
前記照射領域は、正面側に配置される透光パネル部と、前記透光パネル部の裏面側に配置され、前記絵柄が付されたシート状部と、を備え、
前記シート状部は、前記絵柄の部分のみ透光性を有するとともに、その裏面側から前記第二の発光部で照射され、
前記透光パネル部は、前記第二の発光部の消灯時における前記絵柄を視認不能に着色された請求項１記載の停止ボタン装置。
【請求項３】
前記第一の発光部と、前記第二の発光部と、前記各停止ボタンが押下操作されたことを検出する検出部は、一の基板上に配置され、
前記基板は、前記各停止ボタンの裏面側に配置されるとともに、押下操作に伴う前記各停止ボタンとの衝突を回避する逃げ孔を有する請求項１又は２記載の停止ボタン装置。
【請求項４】
押下操作により所定の可変表示器の変動を停止させる、非透光性部材で形成された複数の停止ボタンと、前記各停止ボタンに対応して設けられ、前記各停止ボタンの外周を照射する第一の発光部と、を有する停止ボタン装置を備える遊技機であって、
前記停止ボタン装置が、請求項１〜３のいずれか一項に記載の停止ボタン装置であることを特徴とする遊技機。
【請求項５】
複数の抽せん対象の中から所定の当りの抽せんを行うとともに、前記第二の発光部の発光制御を行う制御部を備え、
前記第二の発光部は、発光色の異なる複数の光源を有し、
前記照射領域に、発光色の違いに応じて異なる前記絵柄が表示される所定の発光表示パターン層を形成し、
前記制御部は、抽せん結果に応じてそれぞれの前記光源を個別に発光制御する請求項４記載の遊技機。
【発明の詳細な説明】
【技術分野】
【０００１】
本発明は、押下操作により所定の可変表示器の変動を停止させる複数の停止ボタンを有する停止ボタン装置と、この停止ボタン装置を備える遊技機に関し、特に、非透光性部材で形成された停止ボタンの外周を照射する発光部を有する停止ボタン装置と、この停止ボタン装置を備えるスロットマシンなどの遊技機に関する。
【背景技術】
【０００２】
停止ボタンの押下操作により所定の可変表示器の変動を停止させる遊技機が知られている。例えば、スロットマシンは、メダル投入後のスタートレバー操作に応じて、外周面に図柄が付された複数のリールを回転させるとともに、各リールに対応する停止ボタンの押下操作に応じて、リールの回転を順次停止させ、停止したリールの図柄の組み合わせにもとづいて、所定数のメダルを払い出す遊技機である。
【０００３】
通常、停止ボタンは、単体で遊技機に取り付けられるのではなく、複数の停止ボタンを有する停止ボタン装置（停止ボタンユニット）として遊技機に取り付けられるようになっている。この種の停止ボタン装置は、複数の停止ボタンと、その押下操作を検出するセンサ又はスイッチを備えて構成されているが、近年では、発光部を備える停止ボタン装置が増えている。
【０００４】
停止ボタン装置に設けられる発光部としては、有効表示用と演出表示用が知られている。
例えば、特許文献１には、リールの回転開始後、所定のタイミングで停止ボタンの外周を照射し、停止ボタンの操作が有効であることを表示する有効表示用の発光部が示されている。
また、特許文献２には、停止ボタンの押し順が遊技の当たりと連動している場合に、各停止ボタンの近傍かつ下方に配置された表示ランプの点灯により、停止ボタンの押し順を表示する演出表示用の発光部が示されている。
【先行技術文献】
【特許文献】
【０００５】
【特許文献１】特開平７−２８８０６２号公報
【特許文献２】特開平９−２５３２７１号公報
【発明の概要】
【発明が解決しようとする課題】
【０００６】
しかしながら、特許文献２に示される演出表示用の発光部は、消灯時でも視認可能に構成され、その点灯によって停止ボタンの押し順を示すに過ぎないので、意外性のある演出表示や多様な演出表示を行うことは困難であった。
また、特許文献２に示される演出用の発光部は、各停止ボタンの近傍かつ下方に配置されているので、遊技者の手で隠れ、視認性が低下するおそれがあった。
【０００７】
本発明は、上記の事情にかんがみなされたものであり、有効表示用として使用される第一の発光部とは別に、演出表示用として使用可能な第二の発光部を備えるにあたり、意外性のある演出表示や多様な演出表示を可能にするとともに、演出表示が遊技者の手で隠れることを防止し、演出表示の視認性を向上させることができる停止ボタン装置及び遊技機の提供を目的とする。
【課題を解決するための手段】
【０００８】
上記目的を達成するため本発明の停止ボタン装置は、押下操作により所定の可変表示器の変動を停止させる、非透光性部材で形成された複数の停止ボタンと、前記各停止ボタンに対応して設けられ、前記各停止ボタンの外周を照射する第一の発光部と、を有する停止ボタン装置であって、前記停止ボタンを囲む前記第一の発光部で照射される環状透光部と、前記第一の発光部からの光と干渉しない光路を形成する第二の発光部と、前記停止ボタンの近傍かつ上方に前記第二の発光部で照射される照射領域と、をそれぞれ各停止ボタンに対応して設け、前記各照射領域は、前記第二の発光部の消灯時に視認不能かつ点灯時に視認可能となる所定の絵柄を有する構成としてある。
【０００９】
また、上記目的を達成するため本発明の遊技機は、押下操作により所定の可変表示器の変動を停止させる、非透光性部材で形成された複数の停止ボタンと、前記各停止ボタンに対応して設けられ、前記各停止ボタンの外周を照射する第一の発光部と、を有する停止ボタン装置を備える遊技機であって、前記停止ボタン装置を上記の停止ボタン装置で構成してある。
【発明の効果】
【００１０】
以上のように、本発明によれば、有効表示用として使用される第一の発光部とは別に、演出表示用として使用可能な第二の発光部を備えるにあたり、意外性のある演出表示や多様な演出表示を可能にするとともに、演出表示が遊技者の手で隠れることを防止し、演出表示の視認性を向上させることができる。
【図面の簡単な説明】
【００１１】
【図１】本発明の実施形態に係るスロットマシンの外観を示す正面図である。
【図２】本発明の実施形態に係るスロットマシンの外観を示す斜視図である。
【図３】本発明の実施形態に係るスロットマシンの内部構成を示す斜視図である。
【図４】本発明の実施形態に係る停止ボタン装置を示す図であり、（ａ）は、停止ボタン装置の平面図、（ｂ）は、停止ボタン装置の正面図、（ｃ）は、停止ボタン装置の側面図、（ｄ）は、停止ボタン装置の斜視図である。
【図５】本発明の実施形態に係る停止ボタン装置の分解斜視図である。
【図６】本発明の実施形態に係る停止ボタン装置の基板を示す正面図である。
【図７】本発明の実施形態に係る停止ボタン装置の光路を示す断面図である。
【図８】本発明の実施形態に係る停止ボタン装置の動作を示す断面図である。
【図９】本発明の実施形態に係るスロットマシンの制御構成を示すブロック図である。
【発明を実施するための形態】
【００１２】
以下、本発明の実施形態について、図面を参照して説明する。
【００１３】
［スロットマシン本体］
図１は、本発明の実施形態に係るスロットマシンの外観を示す正面図、図２は、本発明の実施形態に係るスロットマシンの外観を示す斜視図、図３は、本発明の実施形態に係るスロットマシンの内部構成を示す斜視図である。
これらの図に示すように、本実施形態のスロットマシン１は、複数のリール２１ａ，２１ｂ，２１ｃを回転させることによって遊技媒体であるメダルを獲得することができる回胴式遊技機を構成している。
【００１４】
スロットマシン１は、内部がマイクロコンピュータ等で構成された制御部３０及び必要な機械、装置等を収納する正面側が開口した筐体１ｂと、筐体１ｂの正面側を開閉可能に覆う前扉１ａとで構成されている。
【００１５】
前扉１ａは、図３に示すように、スロットマシン１の筐体１ｂにヒンジ等を介して開閉可能に取り付けられる扉体で、この前扉１ａに遊技操作に係る操作部４が設けられて、スロットマシン１の正面部を構成している。
【００１６】
操作部４には、メダルが投入されるメダル投入口４０と、各リール２１ａ，２１ｂ，２１ｃの回転を始動させるスタートレバー４１と、回転している各リール２１ａ，２１ｂ，２１ｃを停止させる３つの停止ボタン４２ａ，４２ｂ，４２ｃが設けられている。
【００１７】
前扉１ａには、各リール２１ａ，２１ｂ，２１ｃに表示された図柄を視認可能とする表示窓５が、操作部４の上側に設けられる。また、前扉１ａには、機種の名称等を表す文字や機種に関連するキャラクタの絵柄等が表示される下パネル６が、例えば操作部４の下側に設けられる。さらに、前扉１ａには、効果音等が出力されるスピーカ７が、例えば下パネル６の下側に設けられる。
【００１８】
筐体１ｂの中央には、リール２１ａ，２１ｂ，２１ｃと、各リール２１ａ，２１ｂ，２１ｃを回転させる図示しないモータ及び回転位置を検出するセンサ等を備えるドラムユニット２が設けられる。
【００１９】
また、筐体１ｂの下部には、メダルを貯留・払出するメダル払出装置８が設けられる。メダル払出装置８には、メダルを貯留するホッパー８０が設けられ、メダル投入口４０より投入されたメダルは、メダルセレクター８１により検出されるとともに、ホッパー８０に誘導されるようになっている。
【００２０】
スロットマシン１では、遊技者によりメダル投入口４０からメダルが投入され、スタートレバー４１が操作されると、スタート信号が制御部３０に入力される。スタート信号が入力されると、制御部３０では、所定の遊技プログラムに従いドラムユニット２を駆動して、各リール２１ａ，２１ｂ，２１ｃを回転させる制御を行う。
【００２１】
さらに、制御部３０では、例えばボーナスや小役等を抽せんする内部抽せんが行われ、各停止ボタン４２ａ，４２ｂ，４２ｃが押下操作されたタイミングに基づき、抽せん結果に応じた図柄の組合せで停止するよう、回転している各リール２１ａ，２１ｂ，２１ｃの停止制御を行う。
【００２２】
また、制御部３０は、各リール２１ａ，２１ｂ，２１ｃを所定の図柄の組合せで停止させると、メダル払出装置８で所定数のメダルを払い出す制御を行い、メダルをメダル払出口８２から払い出す。
【００２３】
本発明の実施形態に係る停止ボタン４２ａ，４２ｂ，４２ｃは、図２に示すように、あらかじめ停止ボタン装置１００に設けられ、停止ボタン装置１００としてスロットマシン１に取り付けられるようになっている。
以下、本発明の実施形態に係る停止ボタン装置１００について、図４〜図８を参照して説明する。
【００２４】
［停止ボタン装置］
図４は、本発明の実施形態に係る停止ボタン装置を示す図であり、（ａ）は、停止ボタン装置の平面図、（ｂ）は、停止ボタン装置の正面図、（ｃ）は、停止ボタン装置の側面図、（ｄ）は、停止ボタン装置の斜視図、図５は、本発明の実施形態に係る停止ボタン装置の分解斜視図、図６は、本発明の実施形態に係る停止ボタン装置の基板を示す正面図である。
【００２５】
これらの図に示すように、停止ボタン装置１００は、非透光性部材（例えば金属）からなる複数の停止ボタン４２ａ，４２ｂ，４２ｃと、各停止ボタン４２ａ，４２ｂ，４２ｃの押下操作を検出するセンサＣ１，Ｃ２，Ｃ３（検出部：例えばフォトインタラプタ）とを備えた停止ボタンユニットであり、具体的には、ケース１１０、レンズ１２０、バネ１３０、正面カバー（透光パネル部）１４０、シート（シート状部）１５０、基板１６０、基板カバー１７０などをさらに備えて構成されている。
【００２６】
ケース１１０は、各停止ボタン４２ａ，４２ｂ，４２ｃを収容する複数の収容部１１１を備える。
レンズ１２０は、筒状の透光性部材からなり、ケース１１０の各収容部１１１に収容され、各停止ボタン４２ａ，４２ｂ，４２ｃの外周を囲む。
バネ１３０は、圧縮コイルバネからなり、各停止ボタン４２ａ，４２ｂ，４２ｃを前方に付勢している。
【００２７】
正面カバー１４０は、ケース１１０の前面を覆う透光性のカバー部材であり、停止ボタン４２ａ，４２ｂ，４２ｃ及びレンズ１２０の前端部を露出させる複数の開口１４１を備える。
シート１５０は、正面カバー１４０の裏面側に配置される。
なお、正面カバー１４０は、ケース１１０に対して固定されるが、固定方法は、係合でもよいし、ネジ止めでもよい。
【００２８】
基板１６０は、ケース１１０の裏面側に沿って配置される。基板１６０の前面には、センサＣ１，Ｃ２，Ｃ３が配置されており、これらのセンサＣ１，Ｃ２，Ｃ３によって各停止ボタン４２ａ，４２ｂ，４２ｃの押下操作が検出される。
基板カバー１７０は、基板１６０の裏面側を覆う。そして、基板カバー１７０の裏面側から挿通されるネジ１７１により、基板１６０とともにケース１１０に対して固定される。
【００２９】
図７は、本発明の実施形態に係る停止ボタン装置の光路を示す断面図である。
この図に示すように、停止ボタン装置１００には、有効表示用の第一発光部１８０と演出表示用の第二発光部１９０が各停止ボタン４２ａ，４２ｂ，４２ｃに対応して設けられている。
【００３０】
第一発光部１８０は、各停止ボタン４２ａ，４２ｂ，４２ｃに対応するＬＥＤＡ１〜Ａ３を備えている。各ＬＥＤＡ１〜Ａ３は、基板１６０の前面に配置されており、ケース１１０の後面側に形成される入射孔１１２を介して、各停止ボタン４２ａ，４２ｂ，４２ｃの収容部１１１に光を入射するようになっている。
【００３１】
そして、収容部１１１に後方から入射された第一発光部１８０の光は、各停止ボタン４２ａ，４２ｂ，４２ｃの外周を囲むレンズ１２０内を通り、レンズ１２０の前端部（環状透光部１２１）から出射される。
これにより、第一発光部１８０は、各停止ボタン４２ａ，４２ｂ，４２ｃの外周を照射し、各停止ボタン４２ａ，４２ｂ，４２ｃの有効表示を行うことが可能になる。
【００３２】
なお、本実施形態の第一発光部１８０は、一つの停止ボタン４２ａ，４２ｂ，４２ｃに対して３つのＬＥＤＡ１〜Ａ３を備えるが、一つの停止ボタン４２ａ，４２ｂ，４２ｃに対して一つのＬＥＤＡ１〜Ａ３としてもよい。
また、第一発光部１８０としては、ＬＥＤ以外の発光デバイス（例えば、電球）を用いることもできる。
【００３３】
第二発光部１９０は、各停止ボタン４２ａ，４２ｂ，４２ｃに対応するＬＥＤＢ１〜Ｂ３を備えている。各ＬＥＤＢ１〜Ｂ３は、基板１６０の前面に配置されており、ケース１１０の後面側に形成される入射孔１１３を介して、各収容部１１１と隣接して形成される光路室１１４に光を入射するようになっている。
この光路室１１４は、第一発光部１８０からの光と干渉しない光路を形成するためのもので、光路室１１４に後方から入射された第二発光部１９０の光は、光路室１１４の前端開口から出射される。
【００３４】
なお、本実施形態の第二発光部１９０は、一つの停止ボタン４２ａ，４２ｂ，４２ｃに対して一つのＬＥＤＢ１〜Ｂ３を備えるが、一つの停止ボタン４２ａ，４２ｂ，４２ｃに対して複数のＬＥＤＢ１〜Ｂ３としてもよい。
また、第二発光部１９０としては、ＬＥＤ以外の発光デバイス（例えば、電球）を用いることもできる。
【００３５】
光路室１１４の前端開口から出射される光は、シート１５０及び正面カバー１４０の所定の照射領域Ｓを裏側から照射するようになっている。この照射領域Ｓは、各停止ボタン４２ａ，４２ｂ，４２ｃの近傍かつ右上方に位置しており、第二発光部１９０の消灯時に視認不能かつ点灯時に視認可能となる所定の絵柄Ｅ（例えば、「ＧＯ！」）を備えている。
【００３６】
このようにすると、有効表示用として使用される第一発光部１８０とは別に、演出表示用の第二発光部１９０を備えるにあたり、第二発光部１９０の消灯時に視認不能かつ点灯時に視認可能となる所定の絵柄Ｅを備えるので、通常時には何も無い箇所に突然所定の絵柄Ｅを出現させるような意外性のある演出表示や多様な演出表示を行うことが可能になる。
また、第二発光部１９０の点灯時に視認可能となる所定の絵柄Ｅは、各停止ボタン４２ａ，４２ｂ，４２ｃの近傍かつ右上方に配置されるので、演出表示が遊技者の手で隠れることを防止し、演出表示の視認性を向上させることができる。
【００３７】
本実施形態の照射領域Ｓは、正面側に配置される透光性の正面カバー１４０と、その裏面側に配置され、所定の絵柄Ｅが付されたシート１５０との２層構造である。
シート１５０は、所定の絵柄Ｅの部分のみ透光性を有するとともに、その裏面側から第二発光部１９０で照射されることにより、所定の絵柄Ｅを視認可能とする。
また、正面カバー１４０は、第二発光部１９０の消灯時における所定の絵柄Ｅを視認不能に着色（例えば、スモーク＝透明黒）される。
このようにすると、第二発光部１９０の消灯時に視認不能かつ点灯時に視認可能となる所定の絵柄Ｅを、正面カバー１４０とシート１５０の２層構造で簡単に実現することができる。
【００３８】
図８は、本発明の実施形態に係る停止ボタン装置の動作を示す断面図である。
この図に示すように、各停止ボタン４２ａ，４２ｂ，４２ｃは、後方に延出する遮光板Ｂを備えている。この遮光板Ｂは、各停止ボタン４２ａ，４２ｂ，４２ｃが押下操作された際、基板１６０上に配置されるセンサＣ１，Ｃ２，Ｃ３内に進入し、センサＣ１，Ｃ２，Ｃ３の光路を遮ることにより、センサＣ１，Ｃ２，Ｃ３に各停止ボタン４２ａ，４２ｂ，４２ｃの押下操作を検出させる。
【００３９】
また、各停止ボタン４２ａ，４２ｂ，４２ｃは、後方に延出する左右一組の係合爪Ｔを備えている。これらの係合爪Ｔは、ケース１１０の後面側に形成される開口１１５から後方に突出するとともに、開口１１５の周縁部に裏側から係合することにより、各停止ボタン４２ａ，４２ｂ，４２ｃを抜止めしている。
【００４０】
本実施形態の基板１６０は、各停止ボタン４２ａ，４２ｂ，４２ｃの裏面側に配置されるとともに、押下操作に伴う各停止ボタン４２ａ，４２ｂ，４２ｃの係合爪Ｔとの衝突を回避する逃げ孔１６１を備えている。
このようにすると、逃げ孔１６１を備えない場合に比べ、基板１６０をより前側に配置することができるので、停止ボタン装置１００の薄厚化及びコンパクト化が可能になる。
また、第一発光部１８０及び第二発光部１９０の光路も短縮されるので、第一発光部１８０による有効表示や第二発光部１９０による演出表示における光の強度を増大し、その視認性を向上させることができる。
【００４１】
［第一発光部及び第二発光部の発光制御］
図９は、本発明の実施形態に係るスロットマシンの制御構成を示すブロック図である。
この図に示すように、本実施形態の停止ボタン装置１００は、スロットマシン１の制御部３０に接続される。センサＣ１〜Ｃ３は、各停止ボタン４２ａ，４２ｂ，４２ｃの押下操作に応じて、制御部３０に検出信号を入力し、第一発光部１８０及び第二発光部１９０は、制御部３０から出力される信号に応じて、発光制御される。
以下、第一発光部１８０及び第二発光部１９０に係る発光制御の具体例について説明する。
【００４２】
有効表示用である第一発光部１８０は、各停止ボタン４２ａ，４２ｂ，４２ｃの操作が無効のときに消灯し、各停止ボタン４２ａ，４２ｂ，４２ｃの操作が有効のときに点灯するように発光制御される。
例えば、メダル投入後、スタートレバー４１を操作すると、スタート信号が制御部３０に入力される。制御部３０は、スタート信号が入力されると、ドラムユニット２を駆動して、各リール２１ａ，２１ｂ，２１ｃを回転させる制御を行う。そして、各リール２１ａ，２１ｂ，２１ｃの回転開始後、所定の時間が経過し、かつ各リール２１ａ，２１ｂ，２１ｃの回転速度が所定の速度に達したら、各停止ボタン４２ａ，４２ｂ，４２ｃの操作を有効とすべく、第一発光部１８０を一斉に点灯させる。その後、各停止ボタン４２ａ，４２ｂ，４２ｃの操作検出信号が入力されたら、対応する第一発光部１８０を消灯させる。
【００４３】
演出表示用である第二発光部１９０は、多様な演出表示に用いることができる。制御部３０は、ボーナス役や小役、再遊技役、はずれ等の複数の抽せん対象から１ゲームごとに当せん内容を抽せんにて決定する内部抽せんを行うので、その抽せん結果を告知する演出表示や、その抽せん結果で遷移する遊技状態を報知する演出表示を第二発光部１９０に行わせることができ、例えば、押し順ナビ、当たり役告知、表示文字変更演出、表示タイミング演出、小役当たり時・ボーナス時の照明演出、表示場所による演出などの多様な演出表示を行うことができる。
以下、これらの演出表示における第二発光部１９０の制御例について具体的に説明する。
【００４４】
押し順ナビは、抽せん結果に対応した図柄の組合せを、停止ボタン４２ａ，４２ｂ，４２ｃの押し順（操作順）により導出させる場合に、各停止ボタン４２ａ，４２ｂ，４２ｃの押し順を表示する演出表示であり、本実施形態では、押し順にしたがって各停止ボタン４２ａ，４２ｂ，４２ｃの近傍に所定の絵柄Ｅが順次出現するように第二発光部１９０の発光制御を行う。
このような第二発光部１９０を用いた押し順ナビによれば、通常時には何も無い箇所に突然所定の絵柄Ｅが出現し、その出現順序にしたがって各停止ボタン４２ａ，４２ｂ，４２ｃを押下操作することにより、所定の当たり役（小役、再遊技役）が獲得できるので、意外性のある演出表示とすることができるだけでなく、点灯時に視認可能となる所定の絵柄Ｅは、各停止ボタン４２ａ，４２ｂ，４２ｃの近傍かつ右上方に配置されるので、演出表示が遊技者の手で隠れることを防止し、演出表示の視認性が確保されて、操作性が向上する。
【００４５】
当たり役告知は、抽せん結果である当たり役を告知する演出表示であり、本実施形態では、発光色の違いによって当たり役が告知されるように第二発光部１９０の発光制御を行う。例えば、第二発光部１９０のＬＥＤＢ１〜Ｂ３をフルカラーＬＥＤで構成するとともに、当たり役の種類毎に色を設定し（例えばビッグボーナス＝赤又は青、ベル小役＝黄色、スイカ小役＝緑）、発生した当たり役の種類に対応した色で第二発光部１９０を発光させることにより当たり役の告知を行う。
このような第二発光部１９０を用いた当たり役告知によれば、通常時には何も無い箇所に突然所定の絵柄Ｅが出現し、その絵柄Ｅの色によって当たり役が告知されるので、ゲーム性が向上する。
【００４６】
表示文字変更演出は、表示文字を変更表示する演出表示であり、本実施形態では、既知の発光色対応表示印刷技術（透過する光の波長の違いを利用した表示内容変更技術、例えば、特開２００８−１７０４６１、特開２００８−２６２００８参照）を利用し、発光色の違いによって異なる文字が表示されるように第二発光部１９０の発光制御を行う。
具体的には、第二発光部１９０を、複数の光源（ＲＧＢ）を有するフルカラーＬＥＤとするとともに、各光源（ＲＧＢ）を制御部３０で個別に発光制御できるように構成する。さらに、シート１５０の照射領域Ｓに、透過可能な波長の異なる材料からなる複数の発光表示パターンを有する表示層を形成する。そして、制御部３０は、抽せん結果に応じた組合せで、各光源（ＲＧＢ）を個別に点灯させる。
このような構成とすることで、例えば、通常時（小役、再遊技役、はずれ当せん時）は所定の絵柄Ｅとして、「ＧＯ！」（緑色光透過領域として形成された発光表示パターン層）が表示されるように第二発光部１９０を第一の色（Ｇ：緑色）を点灯させ（ＲＢは消灯）、ビッグボーナスが当たった際（ボーナス役当せん時）には「ＢＩＧ」（赤色光透過領域として形成された発光表示パターン層）が表示されるように第二発光部１９０を第二の色（Ｒ：赤色）で点灯させる（ＧＢは消灯）。
このような第二発光部１９０を用いた表示文字変更演出によれば、通常時には何も無い箇所に突然所定の絵柄Ｅが出現するだけでなく、抽せん結果によってその絵柄Ｅが示す文字が変更表示されるので、その演出表示を見たいという遊技客の意欲を駆り立てることができる。
【００４７】
表示タイミング演出は、通常時における表示演出の表示タイミングを、当たり役の種類や当たり期待度によって変化させる演出表示であり、本実施形態では、当たり役の種類や当たり期待度によって所定の絵柄Ｅの出現タイミングが変化するように第二発光部１９０の発光制御を行う。例えば、ボーナス当たりの可能性が高いときには（ボーナス役当せんのときのみならず、他の役やはずれに当せんしたときも行うことで、可能性の高低を調整可能）、所定の絵柄Ｅの出現タイミングを遅くしたり、点滅状に出現させる。
このような第二発光部１９０を用いた表示タイミング演出によれば、通常時には何も無い箇所に突然所定の絵柄Ｅが出現するだけでなく、その出現タイミングによって当たり役の種類や当たり期待度が告知されるので、遊技客が期待をもって注視し、ゲーム性が向上する。
【００４８】
小役当たり時・ボーナス時の照明演出は、小役当たり時やボーナス時に行われるランプなどによる装飾演出（状態演出）であり、本実施形態では、ランプなどによる装飾演出に連動するように第二発光部１９０の発光制御を行う。例えば、ランプの照明演出に連動し、所定の絵柄Ｅを連続又は点滅状に出現させたり、所定の絵柄Ｅの表示色を変更させる。
このような第二発光部１９０を用いた小役当たり時・ボーナス時の照明演出によれば、通常時には何も無い箇所に突然所定の絵柄Ｅが出現するだけでなく、ランプの照明演出に連動し、所定の絵柄Ｅを連続又は点滅状に出現させたり、所定の絵柄Ｅの表示色を変更させることができるので、多彩な装飾演出が可能となる。
【００４９】
なお、本実施形態の停止ボタン装置１００では、一つの停止ボタン４２ａ，４２ｂ，４２ｃに対して一つの演出表示部（第二発光部１９０）を設置したが、一つの停止ボタン４２ａ，４２ｂ，４２ｃに対して複数の演出表示部（第二発光部１９０）を設置し、その点灯表示箇所の違いによって上記の遊技状態の変化や当たり役の告知等を告知することもできる。
【００５０】
以上のように構成された本実施形態によれば、押下操作により所定の可変表示器の変動を停止させる非透光性部材で形成された複数の停止ボタン４２ａ，４２ｂ，４２ｃと、各停止ボタン４２ａ，４２ｂ，４２ｃに対応して設けられ、各停止ボタン４２ａ，４２ｂ，４２ｃの外周を照射する第一発光部１８０と、を有する停止ボタン装置１００であって、停止ボタン４２ａ，４２ｂ，４２ｃを囲む第一発光部１８０で照射される環状透光部１２１と、第一発光部１８０からの光と干渉しない光路を形成する第二発光部１９０と、停止ボタン４２ａ，４２ｂ，４２ｃの近傍かつ右上方に第二発光部１９０で照射される照射領域Ｓと、をそれぞれ各停止ボタン４２ａ，４２ｂ，４２ｃに対応して設け、各照射領域Ｓは、第二発光部１９０の消灯時に視認不能かつ点灯時に視認可能となる所定の絵柄Ｅを有するので、有効表示用として使用される第一発光部１８０とは別に、演出表示用の第二発光部１９０を備えるにあたり、第二発光部１９０の消灯時に視認不能かつ点灯時に視認可能となる所定の絵柄Ｅによって、意外性のある演出表示や多様な演出表示を行うことが可能になる。
また、第二発光部１９０の点灯時に視認可能となる所定の絵柄Ｅは、各停止ボタン４２ａ，４２ｂ，４２ｃの近傍かつ右上方に配置されるので、演出表示が遊技者の手で隠れることを防止し、演出表示の視認性が確保され、操作性を向上させることができる。
【００５１】
以上、本発明について、実施形態を示して説明したが、本発明は、上述した実施形態にのみ限定されるものではなく、特許請求の範囲内で種々の変更が可能であることは言うまでもない。
例えば、本実施形態では、第二発光部からの光を光路室に入射するようにしたが、第一発光部からの光と干渉しない光路を形成すれば足りるため、それぞれの発光部からの光の指向性を狭くすることで、光路室を不要とすることもできる。
【産業上の利用可能性】
【００５２】
本発明は、押下操作により所定の可変表示器の変動を停止させる複数の停止ボタンを有する停止ボタン装置に適用でき、特に、このような停止ボタン装置を備えるスロットマシンなどの遊技機に好適に用いることができる。
【符号の説明】
【００５３】
１  スロットマシン
３０  制御部
４２ａ，４２ｂ，４２ｃ  停止ボタン
１００  停止ボタン装置
１１０  ケース
１２０  レンズ
１２１  環状透光部
１４０  正面カバー
１５０  シート
１６０  基板
１６１  逃げ孔
１８０  第一発光部
１９０  第二発光部
Ｃ１，Ｃ２，Ｃ３  センサ
Ｅ  絵柄
Ｓ  照射領域
【図１】
2011206304.tif 000003
【図２】
2011206304.tif 000004
【図３】
2011206304.tif 000005
【図４】
2011206304.tif 000006
【図５】
2011206304.tif 000007
【図６】
2011206304.tif 000008
【図７】
2011206304.tif 000009
【図８】
2011206304.tif 000010
【図９】
2011206304.tif 000011